(57)【特許請求の範囲】
【請求項１】
一枚の金属板からなる基部の両端部を一方側へ折曲して折曲部を形成し、対向する前記折曲部の端部が間隙を有して配置され、前記折曲部間に収納空間を有する基体と、
前記基部を折曲して前記収納空間内に形成される狭持片を備え、
前記収納空間内における前記基部と前記挟持片との間に挟持空間を備えることを特徴とするウエストサイズ調節具。
【請求項２】
基部の両端部を一方側へ折曲して折曲部を形成し、対向する前記折曲部の端部が間隙を有して配置され、前記折曲部間に収納空間を有する基体と、
前記基部を折曲して前記収納空間内に形成される狭持片を備え、
前記収納空間内における前記基部と前記挟持片との間に挟持空間を備え、
収納空間と反対方向に基部から突出し、基部の幅方向に挿通孔を有する係合部を備えることを特徴とするウエストサイズ調節具。
【請求項３】
狭持片の下方端部が基部から突出する請求項１又は２に記載のウエストサイズ調節具。
【発明の詳細な説明】
【技術分野】
【０００１】
本発明は、ズボン、スカート等の衣服のウエストサイズを調節するものであって、特に容易にタックを設け、ウエストサイズを小さくするウエストサイズ調節具に関するものである。
【背景技術】
【０００２】
従来より、ズボン、スカート等の衣服のウエストサイズを小さくする際に、容易にタックを設けることができるウエストサイズ調節具が公知である。
例えば、クリップ支持板と両サイドのウエスト調整用のクリップ及びクリップで構成する器具を装着し、衣服の重ねしろによるタックを設けるウエストサイズ調節具がある（例えば、特許文献１参照）。
また、弾力性からなる扁平状の基部の下部に、スカ−ト、ズボン等のウエスト部を詰めるために形成された輪状体を差し込む為の切れ込みを介して、端片と中央片を延設し、前記切れ込みに差し込まれた前記輪状体を差し込んで引っ掛ける為に、切れ込みを介して前記中央片に併設された少なくとも一つの調節片とからなるウエストサイズ調節具もある（例えば、特許文献２参照）。
【先行技術文献】
【特許文献】
【０００３】
【特許文献１】特開２００５−２２０４６７号
【特許文献２】特開２００７−１９１８３７号
【０００４】
特許文献１に係る発明においては、クリップ支持板とクリップで衣服の重ねしろを作り、その後タックを設けた状態にて、別途クリップで装着位置のずれを止めるものであり、左右２箇所ずつの計４箇所を固定しなければならず、装着が煩雑となる虞がある。
【０００５】
また、特許文献２に係る発明においては、基部の切れ込みに任意の分量だけ衣服を差し込んでウエストサイズを調節する為、弾性力を作用させるべく、基部の厚みは薄いものであることが必要となる。しかし、厚みが薄いものであっては、ウエストサイズを小さくできる寸法も小さくなり、大幅にウエストサイズを調節する際には、何度も調節片に引っ掛けることが必要となり、ウエストサイズ調節具自体が大きいものとなってしまう。更に、何度も調節片に引っ掛けることから、所望のウエストサイズに至るまでに時間を要してしまう虞がある。
【発明の概要】
【発明が解決しようとする課題】
【０００６】
そこで、本発明はこのような問題点を解決するものであって、ズボン、スカート等の衣服のウエストサイズを調節するものであって、特に容易にタックを設け、ウエストサイズを小さくするウエストサイズ調節具を提供することを課題とする。
【課題を解決するための手段】
【０００７】
前記問題点を解決するために、本発明に係る請求項１に記載のウエストサイズ調節具は、一枚の金属板からなる基部の両端部を一方側へ折曲して折曲部を形成し、対向する前記折曲部の端部が間隙を有して配置され、前記折曲部間に収納空間を有する基体と、前記基部を折曲して前記収納空間内に形成される狭持片を備え、前記収納空間内における前記基部と前記挟持片との間に挟持空間を備えることを特徴とする。
【０００８】
また、本発明の請求項２に記載の発明のウエストサイズ調節具は、基部の両端部を一方側へ折曲して折曲部を形成し、対向する前記折曲部の端部が間隙を有して配置され、前記折曲部間に収納空間を有する基体と、前記基部を折曲して前記収納空間内に形成される狭持片を備え、前記収納空間内における前記基部と前記挟持片との間に挟持空間を備え、収納空間と反対方向に基部から突出し、基部の幅方向に挿通孔を有する係合部を備えるものである。
【０００９】
また、本発明の請求項３に記載の発明のウエストサイズ調節具は、請求項１又は請求項２に記載のウエストサイズ調節具において、狭持片の下方端部が基部から突出するものである。
【発明の効果】
【００１０】
本発明の請求項１に記載のウエストサイズ調節具では、折曲部の端部から狭持片までの往復距離及び狭持片の幅寸法によって、小さくされるウエストサイズが予め決定されているので、輪状にしたウエスト部に装着するだけで即座に所望のウエストサイズに調節することができる。
【００１１】
本発明の請求項２に記載のウエストサイズ調節具では、収納空間と反対方向に基部から突出し、基部の幅方向に挿通孔を有する係合部を備えるので、ウエスト部に装着された状態において、ウエスト部の雌ホック又はウエストサイズ調節具の係合部に雄ホックを係合させることができるので、請求項１に記載のウエストサイズ調節具よりもさらにウエストサイズの微調整を行うことができる。
【００１２】
本発明の請求項３に記載のウエストサイズ調節具では、請求項１又は２に記載のウエストサイズ調節具において、狭持片の下方端部が基部から突出するので、輪状にしたウエスト部に対して、輪状の内側に狭持片を容易に挿通することができ、操作性を向上させることができる。
【図面の簡単な説明】
【００１３】
【図１】本発明の実施例におけるウエストサイズ調節具の斜視図である。
【図２】本発明の実施例におけるウエストサイズ調節具の（ａ）正面図、（ｂ）背面図である。
【図３】本発明の実施例におけるウエストサイズ調節具の（ａ）底面図、（ｂ）底面図の断面図である。
【図４】本発明の実施例におけるウエストサイズ調節具の（ａ）右側面図、（ｂ）左側面図である。
【図５】本発明の実施例におけるウエストサイズ調節具を衣服に装着した状態説明図である。
【図６】本発明の実施例におけるウエストサイズ調節具を衣服に装着した状態の上方視説明図である。
【図７】本発明の別実施例におけるウエストサイズ調節具の（ａ）底面図、（ｂ）底面図の断面図である。
【図８】本発明の別実施例におけるウエストサイズ調節具を衣服に装着した状態説明図である。
【図９】本発明の別実施例におけるウエストサイズ調節具を衣服に装着した状態の上方視説明図である。
【発明を実施するための形態】
【００１４】
以下、本発明の実施の形態におけるウエストサイズ調節具を図面に基づいて説明する。ウエストサイズ調節具は、スカート、その他のウエストサイズを調節する衣服であれば採用することができるが、本実施例においてはズボンを用いて説明する。
【実施例】
【００１５】
本発明に係るウエストサイズ調節具は、図１乃至図６に示すように、ズボン５におけるウエスト部５ａの生地を収納する基体２とウエスト部５ａへ装着する為の狭持片３とから構成されている。
【００１６】
基体２は図１乃至図４に示すように、例えば、厚み１ｍｍ程度の１枚の金属板が断面略Ｃ字状に折曲されることで形成される。具体的には、基部２ａにおける幅方向の両端部が延設され、収納空間４を有するようにして一方側へと折曲されて折曲部２ｂを形成する。図４に示すように、当該折曲部２ｂの端部２ｃはそれぞれが対向するように位置し、両者の間隙は基部２ａの幅寸法程度とされることが望ましい。また、基部２ａは平面、曲面、波面等のいずれの形状であってもよい。更に、基体２は弾性変形の小さい合成樹脂から一体に形成してもよいし、基体２の断面は略Ｃ字状のように円弧状に折曲するものに限られることなく、例えば角状に折曲してもよく、収納空間４を有するようにして形成されていればよい趣旨である。
【００１７】
狭持片３は図１乃至図４に示すようにして、基部２ａにおける鉛直方向の上端部が延設され、収納空間４内の鉛直下方へ折曲されることで形成される。狭持片３は、基部２ａから上方へ突出する頭部３ａと、基部２ａから下方へ突出する端部の脚部３ｂとからなる。収納空間４内であって、当該狭持片３と基部２ａが形成する空間は狭持空間４ａとされ、当該箇所に生地を挟むことでウエスト部へと装着することができる。脚部３ｂは、収納空間４内に位置してもよいが、ウエスト部５ａへの装着を容易にする為に基部２ａの下方へ突出することが望ましい。また、図４（ｂ）に示すようにして、折曲部２の端部２ｃ側へ狭持片３を湾曲させることで、狭持空間４ａを広く確保することができ、ウエスト部５ａへの装着性を更に向上させることができる。更に、狭持片３は基部２ａの一部を収納空間４側へ折曲させることで形成することもできる。
【００１８】
このようにして構成されるウエストサイズ調節具１は、図５に示すようにしてズボン５のウエスト部５ａであって、雄ホック５ｂを有する側、又は雌ホック５ｃを有する側、若しくは当該両側に装着される。具体的には、図５及び図６に示すように、輪状にしたウエスト部５ａに対して、輪状の内側に狭持片３を上方から挿通させるとともに、収納空間４に収納することでウエストサイズ調節具１はウエスト部５ａに装着され、端部２ｃと当接するウエスト部５ａがタック５ｄを形成する。
【００１９】
当該状態において、形成されるタック５ｄ、すなわち小さくされるウエストサイズは図４（ｂ）に示すように、端部２ｃから狭持片３までの往復距離２Ｘ及び狭持片３の幅寸法Ｙから表される。また、これらを変更させることによって、小さくしたい寸法のウエストサイズを調節することができる。
【００２０】
以上、説明した本発明に係るウエストサイズ調節具１によれば、端部２ｃから狭持片４までの往復距離２Ｘ、狭持片３の幅寸法Ｙによって、小さくされるウエストサイズが予め決定されているので、ウエスト部５ａに装着するだけで即座に所望のウエストサイズに調節することができる。また、取り外すことで、元のウエストサイズになることは勿論であり、ウエストサイズ調節具１を装着した状態で洗濯等を行うこともできる。
【００２１】
また、上記実施例に限られることなく、図７乃至図９に示すように、雌ホックの効果を奏する係合部２ｄを備えたウエストサイズ調節具１ａとすることもできる。具体的には、図７に示すように、狭持片３と反対方向、すなわち収納空間４側から基部２ａを突出させて、基体２の幅方向に挿通孔２ｅを有する係合部２ｄを形成させる。当該係合部２ｄは、図８に示すように、ウエスト部５に装着した状態において、ズボン５における雌ホック５ｃと略同等の位置に形成されることが望ましい。その他の構成は、上記実施例と同様である。
【００２２】
このようにして構成されるウエストサイズ調節具１ａは、ウエスト部５に装着された状態で基体２の係合部２ｄに雄ホック５ｂを係合させることで、上記実施例におけるウエストサイズ調節具１よりもウエストサイズの微調整を行うことができる。また、基体２における端部２ｃにウエスト部５ａのタック５ｄが当接しているので、ウエストサイズ調節具１ａが左右方向へ可動することがなく、満腹時等による腹圧によって、ウエストサイズ調節具１ａの装着位置が変更されることもない。当該状態において、ウエストサイズを変更させたい場合には、ウエストサイズ調節具１ａの装着位置を変更させるか、或いは、ズボン５に固着される雌ホック５ｃに雄ホック５ｂを係合させることで、微調整を行うことができる。
【符号の説明】
【００２３】
１、１ａ  ウエストサイズ調節具
２      基体
２ａ    基部
２ｂ    折曲部
２ｃ    端部
２ｄ    係合部
２ｅ    挿通孔
３      狭持片
３ａ    頭部
３ｂ    脚部
４      収納空間
４ａ    狭持空間
５      ズボン
５ａ    ウエスト部
５ｂ    雄ホック
５ｃ    雌ホック
５ｄ    タック
【図１】
0005528878.tif 000002
【図２】
0005528878.tif 000003
【図３】
0005528878.tif 000004
【図４】
0005528878.tif 000005
【図５】
0005528878.tif 000006
【図６】
0005528878.tif 000007
【図７】
0005528878.tif 000008
【図８】
0005528878.tif 000009
【図９】
0005528878.tif 000010